(57)【特許請求の範囲】
【請求項１】
取付穴が設けられた保持体の該取付穴にモータを嵌め込んで保持するモータ保持構造において、
前記モータの外周面に、該モータの出力軸に交叉する方向に延びる複数の突起部が設けられ、
弾性を有する材料からなり、前記複数の突起部を前記出力軸に平行な方向に挟む複数の防振体と、
前記モータに外嵌され、前記取付穴の周縁部に当接されて、前記防振体を該周縁部と挟み込んだ状態で前記モータを前記保持体に固定する固定環とを備え、
前記固定環は、前記防振体を挟み込む部分と、前記保持体に密着する密着部とを、周方向に交互に有し、前記密着部の表側に、外縁部、内縁部、並びに外縁部及び内縁部を橋絡する複数のリブを有し、中央にビス挿通孔を有することを特徴とするモータ保持構造。
【請求項２】
前記防振体は、前記突起部を覆っていることを特徴とする請求項１に記載のモータ保持構造。
【請求項３】
前記固定環の前記防振体を挟み込む部分は、前記防振体を覆うように構成されていることを特徴とする請求項１又は２に記載のモータ保持構造。
【請求項４】
取付穴が設けられた保持体の該取付穴にモータを嵌め込んで保持するモータ保持構造において、
前記モータの外周面に、該モータの出力軸に交叉する方向に延びる複数の突起部が設けられ、
弾性を有する材料からなり、前記複数の突起部を前記出力軸に平行な方向に挟む複数の防振体と、
前記モータに外嵌され、前記取付穴の周縁部に当接されて、前記防振体を該周縁部と挟み込んだ状態で前記モータを前記保持体に固定する固定環とを備え、
前記固定環は、前記防振体を挟み込む部分と、前記保持体に密着する密着部とを、周方向に交互に有し、前記防振体を挟み込む部分は、前記防振体の基端部のみを覆い、前記密着部の中央にビス挿通孔を有することを特徴とするモータ保持構造。
【請求項５】
前記密着部は、前記防振体を挟み込む部分と、該部分に隣り合う防振体を挟み込む部分との中央に位置することを特徴とする請求項１から４までのいずれか一つに記載のモータ保持構造。
【請求項６】
請求項１から５までのいずれか一つに記載のモータ保持構造を備える電気機器。
【発明の詳細な説明】
【技術分野】
【０００１】
本発明は、取付穴が設けられた保持体の該取付穴にモータを嵌め込んで保持するモータ保持構造、並びに該モータ保持構造を備える電気機器に関する。
【背景技術】
【０００２】
例えばモータと該モータの出力軸に固定された送風ファンとを有する送風装置等の電気機器においては、回転体であるモータが振動の発生源であるため、その振動が電気機器本体に伝わらないように、モータと本体キャビネットとの間に防振用の例えば合成ゴム製等のクッション部材を介在させる必要がある。
ビス固定用孔が設けられたフランジを外周面に有するモータを本体キャビネットに固定する場合、従来、ビスとフランジとの間に防振用のゴム（防振スペーサ）を介在させ、モータから装置本体に伝わる振動を抑える構成にしていた。
特許文献１には、モータの外周に形成されたフランジと、該フランジに固定される環状の固定板と、該固定板に複数形成された防振ゴム係合孔と、モータベースにネジ止め部材を介して固定され、前記防振ゴム係合孔に係合する環状溝を有する円筒状の防振ゴムとを備えたファンモータの支持装置の発明が開示されている。
【先行技術文献】
【特許文献】
【０００３】
【特許文献１】特開平６−７４４９１号公報
【発明の概要】
【発明が解決しようとする課題】
【０００４】
しかし、上述のビスとモータのフランジとの間に防振スペーサを介在させる構成の場合、キャビネットに連結している前記ビスのビス頭と防振スペーサとの接触面積が小さいため、防振スペーサを配していてもモータからの振動を十分に吸収することができないという問題があった。
防振スペーサを、モータのフランジを固定する固定板とモータベースとの間、及びビスと固定板との間に介在させる特許文献１の発明の場合も、上記と同様にビス頭と防振スペーサとの接触面積が小さいため、モータから固定板を介しモータベースに伝わる振動を十分に低減することができないという問題があった。
また、いずれの場合も、フランジ又は固定板の両側に防振スペーサを配してビスで固定するため、モータの取り付けが煩雑であるという問題があった。
【０００５】
本発明は斯かる事情に鑑みてなされたものであり、防振体とモータを保持する保持体との接触面積が大きく、モータから保持体に伝動する振動を防振体により十分に吸収して低減することができ、モータの取り付け性も良好であるモータ保持構造、並びに該モータ保持構造を有する電気機器を提供することを目的とする。
【課題を解決するための手段】
【０００６】
本発明に係るモータ保持構造は、取付穴が設けられた保持体の該取付穴にモータを嵌め込んで保持するモータ保持構造において、前記モータの外周面に、該モータの出力軸に交叉する方向に延びる複数の突起部が設けられ、弾性を有する材料からなり、前記複数の突起部を前記出力軸に平行な方向に挟む複数の防振体と、前記モータに外嵌され、前記取付穴の周縁部に当接されて、前記防振体を該周縁部と挟み込んだ状態で前記モータを前記保持体に固定する固定環とを備え、前記固定環は、前記防振体を挟み込む部分と、前記保持体に密着する密着部とを、周方向に交互に有し、前記密着部の表側に、外縁部、内縁部、並びに外縁部及び内縁部を橋絡する複数のリブを有し、中央にビス挿通孔を有することを特徴とする。
【０００７】
本発明においては、予め防振体により突起部を挟み、固定環を、該防振体を取付穴の周縁部とで挟み込むように該周縁部に当接して、モータを保持体に固定するように構成されている。従来、ビスを保持体に固定する部分に防振体を介在させていたので、防振体の大きさに制約があり、ビスと防振体との接触面積が小さいため、十分にモータの振動を低減することができなかったのに対し、本発明においては、防振体はビス止めする部分に介在させるものではないので、大きさの自由度が高く、防振体の保持体及び固定環との接触面積を十分に大きく取ることができる。従って、モータから保持体を介し該保持体を備える装置全体に伝わる振動を防振体により十分に吸収して低減することができる。そして、上述のように構成されているので、モータの取り付け性も良好である。
そして、本発明においては、固定環は、防振体を挟み込む部分と、保持体に密着する密着部とを、周方向に交互に有するので、固定環を保持体にバランス良く確実に固定することができ、かつ、防振体も固定環及び保持体に対し、確実に固定することができる。
【０００８】
本発明に係るモータ保持構造は、前記防振体は、前記突起部を覆っていることを特徴とする。
【０００９】
本発明においては、防振体の保持体及び固定環との接触面積をより大きく取ることができるので、モータから装置全体に伝わる振動をより低減することができる。そして、予め防振体を突起部にスライドさせて差し込んだ状態で、防振体を固定環と保持体とで挟み込んで保持体に固定するので、モータの取り付け性がより向上する。
【００１２】
本発明に係るモータ保持構造は、前記固定環の前記防振体を挟み込む部分は、前記防振体を覆うように構成されていることを特徴とする。
【００１３】
本発明においては、モータの振動がより低減され、取り付け性もより良好になる。
【００１４】
本発明に係るモータ保持構造は、取付穴が設けられた保持体の該取付穴にモータを嵌め込んで保持するモータ保持構造において、前記モータの外周面に、該モータの出力軸に交叉する方向に延びる複数の突起部が設けられ、弾性を有する材料からなり、前記複数の突起部を前記出力軸に平行な方向に挟む複数の防振体と、前記モータに外嵌され、前記取付穴の周縁部に当接されて、前記防振体を該周縁部と挟み込んだ状態で前記モータを前記保持体に固定する固定環とを備え、前記固定環は、前記防振体を挟み込む部分と、前記保持体に密着する密着部とを、周方向に交互に有し、前記防振体を挟み込む部分は、前記防振体の基端部のみを覆い、前記密着部の中央にビス挿通孔を有することを特徴とする。
【００１５】
本発明に係るモータ保持構造は、前記密着部は、前記防振体を挟み込む部分と、該部分に隣り合う防振体を挟み込む部分との中央に位置することを特徴とする。
【００１６】
本発明に係る電気機器は、上述のモータ保持構造を備えることを特徴とする。
【００１７】
本発明においては、モータから電気機器全体への振動の伝達が良好に抑制される。
【発明の効果】
【００２２】
本発明によれば、予め防振体によりモータの突起部を挟み、固定環を、該防振体を取付穴の周縁部とで挟み込むように該周縁部に当接して、モータを保持体に固定するので、防振体の大きさの自由度が高く、防振体の固定環及び保持体との接触面積を十分に大きく取ることができ、モータから保持体に伝動する振動を十分に吸収して低減することができる。そして、モータの保持体に対する取り付け性も良好である。
【図面の簡単な説明】
【００２３】
【図１】本発明の実施の形態１に係る送風装置としての加湿装置の内部構成を示す一部破断正面図である。
【図２】図１のII−II線断面図である。
【図３】図１のIII −III 線断面図である。
【図４】本発明の実施の形態１に係るモータを示す分解斜視図である。
【図５】本発明の実施の形態１に係る防振スペーサを突起部に取り付けた状態を示す斜視図である。
【図６】本発明の実施の形態１に係る防振スペーサを突起部に取り付けた状態を示す断面図である。
【図７】本発明の実施の形態１に係るモータをキャビネットに取り付ける前の状態を示す斜視図である。
【図８】本発明の実施の形態１に係るモータをキャビネットに取り付けた後の状態を示す斜視図である。
【図９】本発明の実施の形態１に係るモータをキャビネットに取り付けた後の状態を示す断面図である。
【図１０】本発明の実施の形態１に係るモータ固定用アングルによりモータをキャビネットに固定する前の状態を示す斜視図である。
【図１１】本発明の実施の形態１に係るモータ固定用アングルによりモータをキャビネットに固定した後の状態を示す斜視図である。
【図１２】本発明の実施の形態１に係るモータをキャビネットに固定した後の状態を示す断面図である。
【図１３】本発明の実施の形態２に係るモータをキャビネットに取り付ける前の状態を示す斜視図である。
【図１４】本発明の実施の形態２に係るモータをキャビネットに取り付けた後の状態を示す斜視図である。
【図１５】本発明の実施の形態２に係るモータ固定用アングルによりモータをキャビネットに固定する前の状態を示す斜視図である。
【図１６】本発明の実施の形態２に係るモータ固定用アングルによりモータをキャビネットに固定した後の状態を示す斜視図である。
【発明を実施するための形態】
【００２４】
以下、本発明をその実施の形態を示す図面に基づいて具体的に説明する。
（実施の形態１）
図１は本発明に係る電気機器の一例としての送風装置である、実施の形態１に係る加湿装置１の内部構成を示す正面図、図２は図１のII−II線断面図、図３は図１のIII −III 線断面図である。
加湿装置１は、筐体２、モータ３及び送風ファン７を有する送風機２０、加湿フィルタ８、貯水槽９、貯水タンク１０、及びイオン発生素子１１を備える。
【００２５】
筐体２は直方体状をなし、室内の床面に立設される。
筐体２の背面には、マトリクス状に複数個の吸気口２１，２１，…が形成されている。なお、吸気口２１が形成された背板を筐体２の背面に着脱可能に構成することにしてもよい。
筐体２の上面部には、平面視が矩形状をなす吹出口２２が形成されている。
【００２６】
筐体２の底面には貯水槽９が設けられている。
筐体２の正面視の左側には、貯水タンク１０が着脱可能に装着されている。貯水槽９は、貯水タンク１０から供給された水を貯留する。
【００２７】
貯水タンク１０は、貯水槽９において所定の水位を維持すべく、貯水槽９に対して自動的に給水するよう構成されている。貯水タンク１０から貯水槽９へ、加湿フィルタ８が十分に浸水し、しかも水位が貯水槽９の周壁の上端部よりも適宜に低い位置になるように給水される。
【００２８】
加湿フィルタ８は、適宜の厚みを有する円盤状又は矩形状をなし、吸水性及び通気性を有するフィルタ本体と、フィルタ本体を保持する合成樹脂製の枠体とからなる。
加湿フィルタ８は、貯水槽９の左右方向中央部から右側部に亘って、縦姿勢に配される。そして、加湿フィルタ８の下部は貯水槽９に浸水しており、これにより加湿フィルタ８は吸水する。
【００２９】
送風機２０の送風ファン７はシロッコ・ファンである。送風ファン７を取り付けたモータ３は、正面視が、円の右上側を吹出口２２に連なるように切り開いた形をなすケース状のキャビネット（保持体）４に、該キャビネット４の裏面側に突設したフランジ収納部（突設部）４１の底面の取付穴４１２に嵌め込まれた状態で保持されている。
送風ファン７は、モータ３が作動することによって回転する。送風ファン７が回転した場合、図２に矢符で示すように、加湿装置１の外部から吸気口２１，２１，…を通過して空気が吸入される。空気は筐体２の背面に沿って下側に流れた後、加湿フィルタ８を通過するように前後方向に流れ、筐体２の正面に沿って下から上に流れ、送風ファン７を通って吹出口２２から加湿装置１の外部へ排出される。
吹出口２２の近傍にはイオン発生素子１１が配されており、発生させたプラスイオン及びマイナスイオンを、排出する空気に付加するように構成されている。
【００３０】
以下、本実施の形態に係るモータ３の保持構造について詳述する。
図４はモータ３を示す分解斜視図、図５は防振スペーサ３５を突起部３４に取り付けた状態を示す斜視図、図６は防振スペーサ３５を突起部３４に取り付けた状態を示す断面図である。
モータ３は、モータ本体３１と、出力軸３２と、モータ本体３１の外周面の略中央部に設けられたフランジ３３と、該フランジ３３の径方向に舌片状をなすように突設され、周方向に等配に設けられた４つの突起部３４と、該突起部３４を覆う、例えば合成ゴム製の防振スペーサ３５とを備えている。防振スペーサ３５は、突起部３４に対向する面が開放している袋状をなし、突起部３４にスライドさせて差し込むことで突起部３４に取り付けられる。防振スペーサ３５の下部の一側部にはモータ３のハーネスを通す隙間を作るための切り欠きが形成されている。
なお、防振スペーサ３５の材質は合成ゴムに限定されるものではなく、他の合成樹脂からなるものであってもよい。
【００３１】
図７はモータ３をキャビネット４に取り付ける前の状態を示す斜視図、図８はモータ３をキャビネット４に取り付けた後の状態を示す斜視図、図９はモータ３をキャビネット４に取り付けた後の状態を示す断面図である。
上述したように、キャビネット４の裏面側にはフランジ収納部４１が突設されており、該フランジ収納部４１の底面に形成された取付穴４１２にモータ３が嵌め込まれる。フランジ収納部４１は、防振スペーサ３５と略同一の形状をなし、図９に示すように防振スペーサ３５の厚み方向の大部分を覆う深さを有するスペーサ嵌合凹部４１１を備えており、フランジ収納部４１のスペーサ嵌合凹部４１１以外の部分はフランジ３３の外縁部の少し外側を沿うように構成されている。キャビネット４のフランジ収納部４１の周縁部には、周方向に４等配にビス止め孔４２が設けられている。
【００３２】
図１０はモータ固定用アングル（固定環）５によりモータ３をキャビネット４に固定する前の状態を示す斜視図、図１１はモータ固定用アングル５によりモータ３をキャビネット４に固定した後の状態を示す斜視図、図１２はモータ３をキャビネット４に固定した後の状態を示す断面図である。
合成樹脂製のモータ固定用アングル５は、スペーサ嵌合凹部４１１に嵌合された防振スペーサ３５を覆う被覆部５１と、キャビネット４に密着され、ビス挿通孔５２ａが形成された密着部５２とが周方向に交互に形成されてなる。密着部５２の表面には、外縁部、内縁部、及び外縁部及び内縁部を橋絡する複数のリブが設けられており、中央部が径方向外側に突出し、該中央部にビス挿通孔５２ａが設けられている。
モータ固定用アングル５をモータ本体３１に嵌めてキャビネット４側にスライドさせ、防振スペーサ３５を被覆部５１で覆い、密着部５２をキャビネット４の取付穴４１２の周縁部に当接させる。そして、密着部５２のビス挿通孔５２ａ及びビス止め孔４２にビスを通して（図示せず）ビス止めし、密着部５２を前記周縁部に密着させることにより、モータ３がキャビネット４に固定される。
【００３３】
図１２に示すように、モータ本体３１の外周と、モータ固定用アングル５のモータ本体３１を挿通させる孔との間には隙間が開いている。また、モータ本体３１の外周と、キャビネット４の取付穴４１２との間にも隙間が開いている。この隙間を設けることで、モータ３の振動により防振スペーサ３５が撓んだ場合にモータ３がモータ固定用アングル５、及びキャビネット４と接触することが防止されている。
【００３４】
以上のように、本実施の形態においては、突起部３４に対応する形状を有する防振スペーサ３５を突起部３４に取り付け、別部材のモータ固定用アングル５でさらに防振スペーサ３５をキャビネット４に押さえ込むことによりモータ３をキャビネット４に固定する。従って、取り付け性が良好である。
モータ３により発生した振動は、突起部３４に取り付けられた防振スペーサ３５を介して、キャビネット４に伝動する。
このとき、突起部３４に取り付けられた防振スペーサ３５はモータ固定用アングル５及びキャビネット４と十分に大きい面積で接触しており、すなわち、防振スペーサ３５と該防振スペーサ３５の固定側の部材との接触面積が大きいため、モータ３の振動を吸収して、モータ３からキャビネット４を介し加湿装置１全体に伝動する振動量を十分に低減することができる。
【００３５】
そして、本実施の形態においては、モータ固定用アングル５は、防振スペーサ３５を挟み込む部分と、キャビネット４に密着する部分とが交互に設けられているので、防振スペーサ３５をキャビネット４にバランス良く確実に固定することができ、かつ、防振スペーサ３５もモータ固定用アングル５及びキャビネット４に対し、確実に固定することができる。
【００３６】
さらに、本実施の形態においては、図２に示すように、吸込側の通風路と、送風機２０が収容されているスペースとをキャビネット４で隔てる構成にし、キャビネット４は薄板一枚とすることで装置全体としての省スペース化を図っているが、上述のモータ保持構造を有するので、モータの振動が直接キャビネット４に伝動するのが抑制され、支障なく加湿装置１を小型化することができる。
【００３７】
なお、防振スペーサ３５は、突起部３４に対向する面が開放している袋状をなし、突起部３４を完全に被覆する場合に限定されるものではなく、突起部３４を出力軸３２に平行な方向に挟んだ上でモータ固定用アングル５によりキャビネット４に固定できる形状を有する一体型のものであればよい。但し、防振スペーサ３５を袋状に形成した場合、上述したように、防振スペーサ３５がモータ固定用アングル５及びキャビネット４と十分に大きい面積で接触できるので、好ましい。
【００３８】
（実施の形態２）
本発明の実施の形態２に係るモータの保持構造は、モータ収納部及びモータ固定用アングルの形状が実施の形態１に係るフランジ収納部４１及びモータ固定用アングル５の形状と異なること以外は、実施の形態１に係るモータの保持構造と同様の構成を有する。
【００３９】
図１３はモータ３をキャビネット４に取り付ける前の状態を示す斜視図、図１４はモータ３をキャビネット４に取り付けた後の状態を示す斜視図、図１５はモータ固定用アングル６によりモータ３をキャビネット４に固定する前の状態を示す斜視図、図１６は固定アングル６によりモータ３をキャビネット４に固定した後の状態を示す斜視図である。図中、図７、図８、図１０、図１１と同一部分は同一符号を付して詳細な説明を省略する。
【００４０】
本実施の形態に係るモータの保持構造においては、キャビネット４の裏面側にフランジ収納部４３が突設されており、該フランジ収納部４３の底面に形成された取付穴４３２にモータ３が嵌め込まれる。フランジ収納部４３は、防振スペーサ３５と略同一の形状をなすスペーサ嵌合凹部４３１を備えており、フランジ収納部４３のスペーサ嵌合凹部４３１以外の部分はフランジ３３の外縁部の少し外側を沿うように構成されている。スペーサ嵌合凹部４３１の底面には、取付穴４３２の径方向に延びるリブ４３３が設けられており、スペーサ嵌合凹部４３１の側面には２箇所、スペーサ嵌合凹部４３１の厚み方向に延びるリブ４３４が対向するように設けられている。
【００４１】
合成樹脂製のモータ固定用アングル６は、キャビネット４に密着され、ビス挿通孔６１ａが形成された密着部６１と、防振スペーサ３５の基端部をキャビネット４と挟み込むように周方向に延びる挟持部６２とを備えている。モータ固定用アングル６は薄肉のリング状をなし、密着部６１は厚み方向のキャビネット４側に設けられ、径方向外側に突出した中央部分に前記ビス挿通孔６１ａが設けられている。挟持部６２は、モータ固定用アングル６の厚み方向の外側に設けられている。図１６に示すように、密着部６１をキャビネット４にビスにより固定したときに、防振スペーサ３５は挟持部６２、及び該防振スペーサ３５の両側の密着部６１により挟み込まれて、キャビネット４に固定される。
本実施の形態においては、スペーサ嵌合凹部４３１に、リブ４３３及びリブ４３４が設けられているので、防振スペーサ３５はリブ４３３及びリブ４３４に係止されてより強固にキャビネット４に固定される。
【００４２】
本実施の形態においても実施の形態１と同様に、突起部３４に取り付けられた防振スペーサ３５はモータ固定用アングル６及びキャビネット４と十分に大きい面積で接触しているので、モータ３の振動を吸収して、モータ３からキャビネット４を介し、加湿装置１全体に伝動する振動量を十分に低減することができる。
【００４３】
上述の実施の形態１及び２においては、電気機器の送風装置として、加湿装置を例として説明したが、加湿装置に限定されるものではなく、取付穴が設けられた保持体の該取付穴にモータを嵌め込んで保持するモータ保持構造を有するものであれば、いずれの電気機器であってもよい。例えば空気調和機、扇風機、除湿機、空気清浄機等の電気機器に本発明を適用することが可能である。
【００４４】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
【符号の説明】
【００４５】
１  加湿装置
２  筐体
２１  吸気口
２２  吹出口
３  モータ
３１  モータ本体
３２  出力軸
３３  フランジ
３４  突起部
３５  防振スペーサ
４  キャビネット
４１、４３  フランジ収納部
４１１、４３１  スペーサ嵌合凹部
４１２、４３２  取付穴
４２  ビス止め孔
４３３、４３４  リブ
５、６  モータ固定用アングル
５１  被覆部
５２、６１  密着部
５２ａ、６１ａ  ビス挿通孔
６２  挟持部
７  送風ファン
８  加湿フィルタ
９  貯水槽
１０  貯水タンク
１１  イオン発生素子
２０  送風機
【図１】
0005762111.tif 000002
【図２】
0005762111.tif 000003
【図３】
0005762111.tif 000004
【図４】
0005762111.tif 000005
【図５】
0005762111.tif 000006
【図６】
0005762111.tif 000007
【図７】
0005762111.tif 000008
【図８】
0005762111.tif 000009
【図９】
0005762111.tif 000010
【図１０】
0005762111.tif 000011
【図１１】
0005762111.tif 000012
【図１２】
0005762111.tif 000013
【図１３】
0005762111.tif 000014
【図１４】
0005762111.tif 000015
【図１５】
0005762111.tif 000016
【図１６】
0005762111.tif 000017